(57)【要約】【課題】所定震度以上の地震を検知すると、受信した災害情報などや避難経路などの情報をガスメータの外部表示装置に表示するガスメータを提供すること。【解決手段】災害情報受信部（１４）は、感震センサ（１２）が所定震度以上の地震を検知すると、電源オン状態に移行し、災害情報の受信を開始する。表示装置２の表示部２１は、ガスメータ１の災害情報受信部（１４）によって受信された災害情報などの表示を行う。【選択図】図１
2010071786.tif 000002
【特許請求の範囲】
【請求項１】
地震を検知する感震器と、前記感震器が所定震度以上の地震を検知するとガス流路を遮断するガス流路遮断器とを備えたガスメータにおいて、
放送局などから送信される災害情報などを受信する受信部と、
前記受信部によって受信された災害情報などを表示する表示装置とを備え、
前記感震器が所定震度以上の地震を検知すると、ガス流路を遮断すると共に、前記表示装置に前記受信された災害情報などを表示することを特徴とするガスメータ。
【請求項２】
前記感震器が所定震度以上の地震を検知すると、前記受信部を起動し、前記災害情報などの受信を開始することを特徴とする請求項１に記載のガスメータ。
【請求項３】
避難経路などを示す画像データを記憶するメモリを備え、前記感震器が所定震度以上の地震を検知すると、前記表示装置に、当該画像データを表示することを特徴とする請求項１又は２に記載のガスメータ。
【請求項４】
前記表示装置は、ガスメータ本体とは別体に構成され前記ガスメータ本体に近接して設置されることを特徴とする請求項１〜３の何れかに記載のガスメータ。
【請求項５】
ユーザからの指示に基づき、前記表示装置を起動することを特徴とする請求項１〜４の何れかに記載のガスメータ。
【請求項６】
前記表示装置、前記受信部に電力を供給する電池を備えたことを特徴とする請求項１〜５の何れかに記載のガスメータ。
【発明の詳細な説明】
【技術分野】
【０００１】
本発明は、感震器及び表示装置を備えたガスメータに係わり、特に、災害情報を受信し、受信した災害情報を表示装置に表示するガスメータに関する。
【背景技術】
【０００２】
感震器を備え、所定震度以上の地震を検知すると、ガス流路を遮断するガスメータが提案されている（特許文献１）。
【特許文献１】特開２００２−２３０６６５号公報
【発明の開示】
【発明が解決しようとする課題】
【０００３】
ところで、災害、例えば地震が発生した場合には、何らかの手段を用いて、避難経路などの情報を住民に伝えることが好ましく、特に、放送局から放送される災害情報などを、住民にリアルタイムに伝えることが好ましい。
【０００４】
一般的に、ガスメータは感震器を備え、道路側に面した屋外に設置されていることが多い。
そこで、ガスメータの感震器が所定震度以上の地震を検知すると、放送局などから放送される災害情報を受信し、ガスメータの外部表示装置に当該災害情報などや避難経路などの情報を表示すれば、住民の被災の減少に貢献できる。
【０００５】
本発明は、かかる実情に鑑みてなされたものであり、所定震度以上の地震を検知すると、受信した災害情報などや避難経路などの情報をガスメータの外部表示装置に表示するガスメータを提供することを目的とする。
【課題を解決するための手段】
【０００６】
請求項１の発明は、地震を検知する感震器と、前記感震器が所定震度以上の地震を検知するとガス流路を遮断するガス流路遮断器とを備えたガスメータにおいて、放送局などから送信される災害情報などを受信する受信部と、前記受信部によって受信された災害情報などを表示する表示装置とを備え、前記感震器が所定震度以上の地震を検知すると、ガス流路を遮断すると共に、前記表示装置に前記受信された災害情報などを表示することを特徴とするガスメータである。
【０００７】
請求項２の発明は、請求項１のガスメータにおいて、前記感震器が所定震度以上の地震を検知すると、前記受信部を起動し、前記災害情報などの受信を開始することを特徴とするものである。
【０００８】
請求項３の発明は、請求項１又は２のガスメータにおいて、避難経路などを示す画像データを記憶するメモリを備え、前記感震器が所定震度以上の地震を検知すると、前記表示装置に、当該画像データを表示することを特徴とするものである。
【０００９】
請求項４の発明は、請求項１〜３のいずれかのガスメータにおいて、前記表示装置は、ガスメータ本体とは別体に構成され前記ガスメータ本体に近接して設置されることを特徴とするものである。
【００１０】
請求項５の発明は、請求項１〜４のいずれかのガスメータにおいて、ユーザからの指示に基づき、前記表示装置を起動することを特徴とするものである。
【００１１】
請求項６の発明は、請求項１〜５のいずれかのガスメータにおいて、前記表示装置、前記受信部に電力を供給する電池を備えたことを特徴とするものである。
【発明の効果】
【００１２】
本発明により、所定震度以上の地震が発生した場合、ガスメータの外部表示装置に災害情報などが自動的に表示されるので、住民は、災害情報、避難経路などを容易に知ることができる。
【発明を実施するための最良の形態】
【００１３】
図１は、本発明に係わるガスメータ１の外観図である。
ガスメータ１は、感震器（図示しない）を備え、所定震度以上の地震を検知すると、ガス流路を遮断する機能を備えている。
【００１４】
２は、災害情報などを表示する表示装置（外部表示装置）であり、ガス配管４に固定部材３によって取付・固定されている。このように、表示装置２は、ガスメータ１本体とは、別体に構成されガスメータ１本体に近接して設置される。
【００１５】
２１は、液晶パネル等から構成される表示部、２２は、表示装置を起動（オン）する起動ボタン、２３は、表示装置２などに電力を供給する外部電池である。
【００１６】
５は、ガスメータ１と表示装置２を電気的に接続する接続ラインである。
【００１７】
ガスメータ１は、感震器が所定震度以上の地震を検知すると、ガスメータ１に設けられた、災害情報受信器（図示しない）を起動し、災害情報を受信し、表示装置２の表示部２１に当該災害情報を自動的に表示する。
その他にも、震度情報、避難情報などの様々な情報を表示することができる。
【００１８】
図２は、ガスメータ１及び表示装置２の機能ブロック図である。
（ガスメータ１）
まず、ガスメータ１の機能ブロックについて説明する。
１１は、ガス流量測定部で、ガスの使用流量を測定し、図示しないカウンタに出力する。
【００１９】
１２は、感震センサ（感震器）であり、所定震度以上の地震を検知すると、制御信号を遮断部１３、災害情報受信部１４、及び、表示装置制御部１８に出力する。
【００２０】
遮断部（ガス流路遮断器）１３は、感震センサ１２からの制御信号を受信すると、ガス流路を遮断する。また、ガス漏れやガスの異常使用が図示しないセンサにより検知された場合にも、ガス流路を遮断する。
【００２１】
災害情報受信部１４は、無線通信又は有線通信によって図示しない送信局が送信する地震情報などの災害情報を受信し、表示装置制御部１８に転送する。
前記受信部１４は、節電のため、常時、電源オフ状態であるが、感震センサ１２からの制御信号を受信すると（感震センサ１２が所定震度以上の地震を検知）、電源オン状態に移行し（受信部の起動）、災害情報の受信を開始する。なお、起動ボタン２２を操作すれば、上記の受信処理を開始することができる。
【００２２】
１５は、各種制御情報を記憶するメモリ、１６は、各機能ブロックを制御する制御部である。
【００２３】
１７は、表示装置接続部で、接続ライン５を介して表示装置２と通信接続する接続インターフェイスとして機能する。
【００２４】
表示装置制御部１８は、感震センサ１２からの制御信号を受信すると、表示装置２に、当該表示装置２を起動（電源オン）させる起動信号を出力する。また、災害情報受信部１４が受信した災害情報を表示装置２に転送する処理を制御する。
【００２５】
（表示装置２）
次に、表示装置２の機能ブロックについて説明する。
表示部２１は、ガスメータ１の災害情報受信部１４によって受信された災害情報などの表示を行う。
起動ボタン２２は、ユーザからの指示に基づいて、表示装置２を起動し、災害情報などを表示部２１に表示させる。
外部電池２３は、表示装置２、ガスメータ１の災害情報受信部１４に電力を供給する。
【００２６】
２４は、制御部で、各機能ブロックを制御する。
【００２７】
２５は、ガスメータ接続部で、接続ライン５を介してガスメータ１と通信接続する接続インターフェイスとして機能する。
２６は、メモリで、各種制御情報や、表示部２１に表示する避難経路などを示す画像データを記憶する。
【００２８】
次に、表示装置２の表示部２１に、災害情報などを自動的に表示する処理について詳細に説明する。
地震が発生すると、当該地震の発生をガスメータ１の感震センサ１２が検知する。
【００２９】
前記地震の発生を検知した感震センサ１２は、前記地震の震度が所定震度以上の場合には、制御信号を遮断部１３、災害情報受信部１４、及び、表示装置制御部１８に出力する。
前記制御信号を受信した遮断部１３は、ガス流路を遮断する。同災害情報受信部１４は、図示しない送信局からの災害情報の受信処理を開始する。また、同表示装置制御部１８は、表示装置２に起動信号を出力する。
【００３０】
表示装置２の制御部２４は、前記起動信号を受信すると、表示部２１等を起動する。
同時に、ガスメータ１の表示装置制御部１８は、災害情報受信部１４によって受信された災害情報を表示装置２に出力する。前記災害情報を受信した表示装置２は、表示部２１に当該災害情報を表示する。
なお、災害情報が受信できなかった場合には、表示装置２のメモリ２６に記憶されている避難経路などを示す画像データを表示部２１に出力（表示）することもできる。
表示装置２は、電池２３が供給する電力によって動作する。
【００３１】
このように、所定震度以上の地震が発生すると、ガスメータの外部表示装置に災害情報、避難情報などが自動的に表示されるので、近隣住民は、災害情報、避難経路などを容易に知ることができる。
なお、ユーザが表示装置２の起動ボタン２２を操作すると、表示装置２の制御部２４は、当該操作を検知し、前述した災害情報の表示処理を実行するように各機能ブロックに指示する。
【図面の簡単な説明】
【００３２】
【図１】本発明に係わるガスメータの外観図である。
【図２】ガスメータ及び表示装置の機能ブロック図である。
【符号の説明】
【００３３】
１…ガスメータ、１１…ガス流量測定部、１２…感震センサ（感震器）、１３…遮断部（ガス流路遮断器）、１４…災害情報受信部、１５…メモリ、１６…制御部、１７…表示装置接続部、１８…表示装置制御部、２…表示装置、２１…表示部、２２…起動ボタン、２３…電池、２４…制御部、２５…ガスメータ接続部、２６…メモリ、３…表示装置固定部材、４…ガス配管、５…接続ライン。
【図１】
2010071786.tif 000003
【図２】
2010071786.tif 000004